(57)【要約】【課題】本発明は子供用食器の洗浄装置を開示した。【解決手段】洗浄機を含み、前記洗浄機の中には動力チャンバが設置され、前記動力チャンバの中には動力装置が設置され、前記動力装置はモーターを含み、前記動力装置は前記モーターを通して機械全体を作動連動させることができ、前記モーターを始動し、前記モーター軸によって前記モーターギヤと前記モータープーリとを回転連動させ、その作用は機械全体を作動連動させるのであり、本装置は自動的に子供用食器を洗浄できし、本装置の連続性の洗浄によって、洗浄の効率ときれいさを保証でき、手で洗浄すると長い時間の作業状態で疲れるために洗浄がきれいではないという問題を解決し、また本装置は破砕機能があり、機器作動の安定性を保証できると同時に、下水道が詰まる問題の発生を回避できる。【選択図】図１
2020175156.tif 000002
【特許請求の範囲】
【請求項１】
正面視で、洗浄機を含み、前記洗浄機の中には動力チャンバが設置され、前記動力チャンバの中には動力装置が設置され、前記動力装置はモーターを含み、前記動力装置は前記モーターを通して機械全体を作動連動させることができ、前記動力チャンバの上端には連通溝が設置され、前記連通溝の右端壁には作動チャンバが設置され、前記作動チャンバの中には固定装置が設置され、前記固定装置はＬ型板を含み、前記固定装置は前記Ｌ型板によって子供用食器を固定でき、前記作動チャンバの下端壁には下引っ掛かり溝が設置され、前記作動チャンバの上端には連結ブロックスライド溝が設置され、前記連結ブロックスライド溝の中には開け装置が設置され、前記開け装置は止め板と連動ギヤとを含み、前記開け装置は前記止め板と前記連動ギヤと戸によって前記作動チャンバを開けることと固定装置を押し出すことができ、前記連結ブロックスライド溝の上端壁には上引っ掛かり溝が設置され、前記連結ブロックスライド溝の左端壁にはラックスライド溝が設置され、前記ラックスライド溝の左端壁には外部空間と連通しているトーションバネ溝が設置され、前記作動チャンバの下端壁には排出水槽が設置され、前記排出水槽の下端壁には砕きチャンバが設置され、前記砕きチャンバの中には砕き装置が設置され、前記砕き装置は砕き器を含み、前記砕き装置は前記砕き器によって生ゴミを粉々に砕くことができ、それによって機械と下水道とは詰まることの発生は容易ではなく、前記砕きチャンバの下端壁には下方水槽が設置され、前記砕きチャンバの左端壁には前記動力チャンバと連通しているベルト溝が設置され、前記砕きチャンバの右端には水タンクが設置され、前記水タンクの中には洗浄装置が設置され、前記洗浄装置は揚水ポンプを含み、前記洗浄装置は揚水ポンプによって子供用食器をきれいに洗浄し、前記水タンクの後端壁には外部空間と連通している注水口が設置され、前記水タンクの下端壁には栓溝が設置され、前記栓溝の右端が外部空間と連通しており、前記栓溝の左端壁には水出溝が連結され、前記下方水槽が上方水管と連通していることを特徴とする子供用食器の洗浄装置。
【請求項２】
前記動力装置はモーター軸を含み、前記モーター軸が前記動力チャンバの上下端壁と前記連通溝の上下端壁と回転できるように連結され、前記モーター軸と前記モーターとの間が動力が伝達できるように連結され、前記モーター軸の下端にはまたモータープーリが設置され、前記モーター軸の上端にはモーターギヤが設置されることを特徴とする請求項１に記載の子供用食器の洗浄装置。
【請求項３】
前記開け装置は連結ブロックを含み、前記連結ブロックが前記連結ブロックスライド溝とスライドできるように連結され、前記連結ブロックの中には連結溝が設置され、前記連結溝と前記止め板との間にはヒンジ軸が回転できるように連結され、前記止め板の下端には配電盤スライド溝が設置され、前記配電盤スライド溝の中には配電盤がスライドできるように連結され、前記配電盤の中には移動溝が設置され、前記移動溝の右端壁と下端壁がそれぞれ外部空間と前記下引っ掛かり溝と連通しており、前記移動溝の中には引きブロックがスライドできるように連結され、前記引きブロックと前記移動溝との間には引きブロックばねが連結され、前記引きブロックは前記上引っ掛かり溝とスライドできるように連結されることができ、前記移動溝の中には位置制限ブロックが設置され、前記位置制限ブロックの中には位置制限溝が設置され、前記移動溝の下端にはまた固定金属棒がスライドできるように連結され、前記固定金属棒と前記位置制限ブロックとの間には固定金属棒ばねが連結され、前記固定金属棒は前記下引っ掛かり溝とスライドできるように連結されることができ、前記固定金属棒の上端面と前記引きブロックの左端面との間には前記位置制限溝によって縄が連結され、前記連結ブロックの左端面には前記ラックスライド溝とスライドできるように連結されたラック板が設置され、前記トーションばね溝の前後端壁にはトーションばね軸が回転できるように連結され、前記トーションばね軸にはトーションばねが設置され、前記トーションばねにはトーションばね板が設置され、前記連結ブロックスライド溝の底壁にはギヤ溝が設置され、前記ギヤ溝の前後端壁には連動軸が回転できるように連結され、前記連動軸が前記連動ギヤと固定的に連結され、前記連動ギヤが前記ラック板の下端面と噛み合っていることを特徴とする請求項１に記載の子供用食器の洗浄装置。
【請求項４】
前記固定装置は洗浄板を含み、前記洗浄板が前記Ｌ型板の右端面と固定的に連結され、前記洗浄板の上端面には固定ラックが設置され、前記固定ラックが前記連動ギヤと噛み合っており、前記洗浄板の下端面には回転軸が回転できるように連結され、前記回転軸の下端面には水噴射大ギヤが設置され、前記水噴射大ギヤの下端面には噴射ヘッドが設置され、前記噴射ヘッドと、前記水噴射大ギヤと、前記回転軸と前記洗浄板との間には前記上方水管と連通することができる噴射ヘッド水管が設置され、前記Ｌ型板の中には前記排出水槽と連通している作動水槽が設置され、前記Ｌ型板の左端面には切換溝が設置され、前記切換溝と前記連通溝とが連通しており、前記モーターギヤが前記水噴射大ギヤと噛み合っており、前記Ｌ型板の下端には四つの固定機構が設置され、一番左側の固定機構を例として説明し、前記Ｌ型板の上端面には固定スライド溝が設置され、前記固定スライド溝の下端壁には六つの台形ブロック引っ掛かり溝が設置され、前記固定スライド溝には固定ロッドが左右対称的にスライドできるように連結され、前記固定ロッドと前記固定スライド溝との間には固定ばねがそれぞれ連結され、前記固定ロッドの中には台形ブロックスライド溝が設置され、前記台形ブロックスライド溝の上端壁には引きロッドスライド溝が設置され、前記台形ブロックスライド溝の中には台形ブロックがスライドできるように連結され、前記台形ブロックと前記台形ブロックスライド溝との間には台形ブロックばねが連結され、前記引きロッドスライド溝の中にはハンドル回しロッドがスライドできるように連結され、前記ハンドル回しロッドが前記台形ブロックの上端面と固定的に連結され、前記ハンドル回しロッドの上端にはハンドル回しブロックが設置されることを特徴とする請求項１に記載の子供用食器の洗浄装置。
【請求項５】
前記砕き装置は前記砕き軸を含み、前記砕き軸が前記砕きチャンバの上下端壁と回転できるように連結され、前記砕き軸の上端には砕きプーリが設置され、前記砕きプーリと前記モータープーリとの間にはベルトが連結され、前記砕き軸の下端が前記砕き器と固定的に連結されることを特徴とする請求項１に記載の子供用食器の洗浄装置。
【請求項６】
前記洗浄装置は栓を含み、前記栓が前記栓溝とスライドできるように連結され、前記栓の右端にはプルリングが設置され、前記栓の中には洗浄剤溝が設置され、前記洗浄剤溝の左端壁にはフィルターが設置され、前記揚水ポンプがと前記水タンクの下端壁とが固定的に連結されることを特徴とする請求項１に記載の子供用食器の洗浄装置。
【発明の詳細な説明】
【技術分野】
【０００１】
本発明は子供の安全分野に関わり、具体的には子供用食器の洗浄装置である。
【背景技術】
【０００２】
目下、人々は食品の安全を重視することと共に、食器への洗浄のきれいさも非常に気になるようになり、学校の食堂で、子供が食事した後の食器の洗浄は大体食堂で働いているおばさんたちによって洗浄されるのであり、食堂のおばさんたちは長い時間で手で食器を洗浄する場合で、きれいに洗浄できないなどの問題が出やすく、こういう状況で、子供たちの体は問題が発生しやすく、そのため、子供用食器の洗浄装置が十分に必要となる。
【先行技術文献】
【特許文献】
【０００３】
【特許文献１】中国特許出願公開第１０９２７６２１１号明細書
【発明の概要】
【発明が解決しようとする課題】
【０００４】
本発明は子供用食器の洗浄装置を提供し、上記背景技術にある欠点を解消することを目的とする。
【課題を解決するための手段】
【０００５】
上記の目的を実現するため、本発明は以下の技術プランを提供する：子供用食器の洗浄装置は、洗浄機を含み、前記洗浄機の中には動力チャンバが設置され、前記動力チャンバの中には動力装置が設置され、前記動力装置はモーターを含み、前記動力装置は前記モーターを通して機械全体を作動連動させることができ、前記動力チャンバの上端には連通溝が設置され、前記連通溝の右端壁には作動チャンバが設置され、前記作動チャンバの中には固定装置が設置され、前記固定装置はＬ型板を含み、前記固定装置は前記Ｌ型板によって子供用食器を固定でき、前記作動チャンバの下端壁には下引っ掛かり溝が設置され、前記作動チャンバの上端には連結ブロックスライド溝が設置され、前記連結ブロックスライド溝の中には開け装置が設置され、前記開け装置は止め板と連動ギヤとを含み、前記開け装置は前記止め板と前記連動ギヤと戸によって前記作動チャンバを開けることと固定装置を押し出すことができ、前記連結ブロックスライド溝の上端壁には上引っ掛かり溝が設置され、前記連結ブロックスライド溝の左端壁にはラックスライド溝が設置され、前記ラックスライド溝の左端壁には外部空間と連通しているトーションバネ溝が設置され、前記作動チャンバの下端壁には排出水槽が設置され、前記排出水槽の下端壁には砕きチャンバが設置され、前記砕きチャンバの中には砕き装置が設置され、前記砕き装置は砕き器を含み、前記砕き装置は前記砕き器によって生ゴミを粉々に砕くことができ、それによって機械と下水道とは詰まることの発生は容易ではなく、前記砕きチャンバの下端壁には下方水槽が設置され、前記砕きチャンバの左端壁には前記動力チャンバと連通しているベルト溝が設置され、前記砕きチャンバの右端には水タンクが設置され、前記水タンクの中には洗浄装置が設置され、前記洗浄装置は揚水ポンプを含み、前記洗浄装置は揚水ポンプによって子供用食器をきれいに洗浄し、前記水タンクの後端壁には外部空間と連通している注水口が設置され、前記水タンクの下端壁には栓溝が設置され、前記栓溝の右端が外部空間と連通しており、前記栓溝の左端壁には水出溝が連結され、前記下方水槽が上方水管と連通している。
【０００６】
好ましくは、前記動力装置はモーター軸を含み、前記モーター軸が前記動力チャンバの上下端壁と前記連通溝の上下端壁と回転できるように連結され、前記モーター軸と前記モーターとの間が動力が伝達できるように連結され、前記モーター軸の下端にはまたモータープーリが設置され、前記モーター軸の上端にはモーターギヤが設置される。
【０００７】
好ましくは、前記開け装置は連結ブロックを含み、前記連結ブロックが前記連結ブロックスライド溝とスライドできるように連結され、前記連結ブロックの中には連結溝が設置され、前記連結溝と前記止め板との間にはヒンジ軸が回転できるように連結され、前記止め板の下端には配電盤スライド溝が設置され、前記配電盤スライド溝の中には配電盤がスライドできるように連結され、前記配電盤の中には移動溝が設置され、前記移動溝の右端壁と下端壁がそれぞれ外部空間と前記下引っ掛かり溝と連通しており、前記移動溝の中には引きブロックがスライドできるように連結され、前記引きブロックと前記移動溝との間には引きブロックばねが連結され、前記引きブロックは前記上引っ掛かり溝とスライドできるように連結されることができ、前記移動溝の中には位置制限ブロックが設置され、前記位置制限ブロックの中には位置制限溝が設置され、前記移動溝の下端にはまた固定金属棒がスライドできるように連結され、前記固定金属棒と前記位置制限ブロックとの間には固定金属棒ばねが連結され、前記固定金属棒は前記下引っ掛かり溝とスライドできるように連結されることができ、前記固定金属棒の上端面と前記引きブロックの左端面との間には前記位置制限溝によって縄が連結され、前記連結ブロックの左端面には前記ラックスライド溝とスライドできるように連結されたラック板が設置され、前記トーションばね溝の前後端壁にはトーションばね軸が回転できるように連結され、前記トーションばね軸にはトーションばねが設置され、前記トーションばねにはトーションばね板が設置され、前記連結ブロックスライド溝の底壁にはギヤ溝が設置され、前記ギヤ溝の前後端壁には連動軸が回転できるように連結され、前記連動軸が前記連動ギヤと固定的に連結され、前記連動ギヤが前記ラック板の下端面と噛み合っている。
【０００８】
好ましくは、前記固定装置は洗浄板を含み、前記洗浄板が前記Ｌ型板の右端面と固定的に連結され、前記洗浄板の上端面には固定ラックが設置され、前記固定ラックが前記連動ギヤと噛み合っており、前記洗浄板の下端面には回転軸が回転できるように連結され、前記回転軸の下端面には水噴射大ギヤが設置され、前記水噴射大ギヤの下端面には噴射ヘッドが設置され、前記噴射ヘッドと、前記水噴射大ギヤと、前記回転軸と前記洗浄板との間には前記上方水管と連通することができる噴射ヘッド水管が設置され、前記Ｌ型板の中には前記排出水槽と連通している作動水槽が設置され、前記Ｌ型板の左端面には切換溝が設置され、前記切換溝と前記連通溝とが連通しており、前記モーターギヤが前記水噴射大ギヤと噛み合っており、前記Ｌ型板の下端には四つの固定機構が設置され、一番左側の固定機構を例として説明し、前記Ｌ型板の上端面には固定スライド溝が設置され、前記固定スライド溝の下端壁には六つの台形ブロック引っ掛かり溝が設置され、前記固定スライド溝には固定ロッドが左右対称的にスライドできるように連結され、前記固定ロッドと前記固定スライド溝との間には固定ばねがそれぞれ連結され、前記固定ロッドの中には台形ブロックスライド溝が設置され、前記台形ブロックスライド溝の上端壁には引きロッドスライド溝が設置され、前記台形ブロックスライド溝の中には台形ブロックがスライドできるように連結され、前記台形ブロックと前記台形ブロックスライド溝との間には台形ブロックばねが連結され、前記引きロッドスライド溝の中にはハンドル回しロッドがスライドできるように連結され、前記ハンドル回しロッドが前記台形ブロックの上端面と固定的に連結され、前記ハンドル回しロッドの上端にはハンドル回しブロックが設置される。
【０００９】
好ましくは、前記砕き装置は前記砕き軸を含み、前記砕き軸が前記砕きチャンバの上下端壁と回転できるように連結され、前記砕き軸の上端には砕きプーリが設置され、前記砕きプーリと前記モータープーリとの間にはベルトが連結され、前記砕き軸の下端が前記砕き器と固定的に連結される。
【００１０】
好ましくは、前記洗浄装置は栓を含み、前記栓が前記栓溝とスライドできるように連結され、前記栓の右端にはプルリングが設置され、前記栓の中には洗浄剤溝が設置され、前記洗浄剤溝の左端壁にはフィルターが設置され、前記揚水ポンプがと前記水タンクの下端壁とが固定的に連結される。
【発明の効果】
【００１１】
本発明の有益な効果は：本装置は自動的に子供用食器を洗浄できし、本装置の連続性の洗浄によって、洗浄の効率ときれいさを保証でき、手で洗浄すると長い時間の作業状態で疲れるために洗浄がきれいではないという問題を解決し、また本装置は破砕機能があり、機器作動の安定性を保証できると同時に、下水道が詰まる問題の発生を回避できる。
【図面の簡単な説明】
【００１２】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の子供用食器の洗浄装置の全体全断面の正面構成概略図
【図２】図２は本発明の図１の中のＡのところの部分拡大図
【図３】図３は本発明の図１の中のＢのところの部分拡大図
【発明を実施するための形態】
【００１４】
本説明書に開示したすべての特徴、または開示したすべての方法または過程中のステップは、互いに排斥する特徴と／またはステップ以外に、いずれもあらゆる方式で組み合わせることができる。
【００１５】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１６】
図１〜３を参照し、本発明の実施例は、子供用食器の洗浄装置であり、洗浄機１００を含み、前記洗浄機１００の中には動力チャンバ５８が設置され、前記動力チャンバ５８の中には動力装置１０１が設置され、前記動力装置１０１はモーター５７を含み、前記動力装置１０１は前記モーター５７を通して機械全体を作動連動させることができ、前記動力チャンバ５８の上端には連通溝６３が設置され、前記連通溝６３の右端壁には作動チャンバ４０が設置され、前記作動チャンバ４０の中には固定装置１０３が設置され、前記固定装置１０３はＬ型板６１を含み、前記固定装置１０３は前記Ｌ型板６１によって子供用食器を固定でき、前記作動チャンバ４０の下端壁には下引っ掛かり溝７６が設置され、前記作動チャンバ４０の上端には連結ブロックスライド溝２３が設置され、前記連結ブロックスライド溝２３の中には開け装置１０２が設置され、前記開け装置１０２は止め板３８と連動ギヤ３４とを含み、前記開け装置１０２は前記止め板３８と前記連動ギヤ３４と戸によって前記作動チャンバ４０を開けることと固定装置１０３を押し出すことができ、前記連結ブロックスライド溝２３の上端壁には上引っ掛かり溝３３が設置され、前記連結ブロックスライド溝２３の左端壁にはラックスライド溝２１が設置され、前記ラックスライド溝２１の左端壁には外部空間と連通しているトーションバネ溝６８が設置され、前記作動チャンバ４０の下端壁には排出水槽９２が設置され、前記排出水槽９２の下端壁には砕きチャンバ９３が設置され、前記砕きチャンバ９３の中には砕き装置１０４が設置され、前記砕き装置１０４は砕き器５２を含み、前記砕き装置１０４は前記砕き器５２によって生ゴミを粉々に砕くことができ、それによって機械と下水道とは詰まることの発生は容易ではなく、前記砕きチャンバ９３の下端壁には下方水槽５４が設置され、前記砕きチャンバ９３の左端壁には前記動力チャンバ５８と連通しているベルト溝５６が設置され、前記砕きチャンバ９３の右端には水タンク４２が設置され、前記水タンク４２の中には洗浄装置１０５が設置され、前記洗浄装置１０５は揚水ポンプ４３を含み、前記洗浄装置１０５は揚水ポンプ４３によって子供用食器をきれいに洗浄し、前記水タンク４２の後端壁には外部空間と連通している注水口４１が設置され、前記水タンク４２の下端壁には栓溝４６が設置され、前記栓溝４６の右端が外部空間と連通しており、前記栓溝４６の左端壁には水出溝４９が連結され、前記下方水槽５４が上方水管２６と連通している。
【００１７】
前記動力装置１０１はモーター軸６０を含み、前記モーター軸６０が前記動力チャンバ５８の上下端壁と前記連通溝６３の上下端壁と回転できるように連結され、前記モーター軸６０と前記モーター５７との間が動力が伝達できるように連結され、前記モーター軸６０の下端にはまたモータープーリ５９が設置され、前記モーター軸６０の上端にはモーターギヤ６２が設置され、前記モーター５７を始動し、前記モーター軸６０によって前記モーターギヤ６２と前記モータープーリ５９とを回転連動させ、その作用は機械全体を作動連動させるのである。
【００１８】
前記開け装置１０２は連結ブロック３５を含み、前記連結ブロック３５が前記連結ブロックスライド溝２３とスライドできるように連結され、前記連結ブロック３５の中には連結溝３６が設置され、前記連結溝３６と前記止め板３８との間にはヒンジ軸３７が回転できるように連結され、前記止め板３８の下端には配電盤スライド溝７１が設置され、前記配電盤スライド溝７１の中には配電盤７０がスライドできるように連結され、前記配電盤７０の中には移動溝８０が設置され、前記移動溝８０の右端壁と下端壁がそれぞれ外部空間と前記下引っ掛かり溝７６と連通しており、前記移動溝８０の中には引きブロック７２がスライドできるように連結され、前記引きブロック７２と前記移動溝８０との間には引きブロックばね６９が連結され、前記引きブロック７２は前記上引っ掛かり溝３３とスライドできるように連結されることができ、前記移動溝８０の中には位置制限ブロック７３が設置され、前記位置制限ブロック７３の中には位置制限溝７４が設置され、前記移動溝８０の下端にはまた固定金属棒７７がスライドできるように連結され、前記固定金属棒７７と前記位置制限ブロック７３との間には固定金属棒ばね７５が連結され、前記固定金属棒７７は前記下引っ掛かり溝７６とスライドできるように連結されることができ、前記固定金属棒７７の上端面と前記引きブロック７２の左端面との間には前記位置制限溝７４によって縄７９が連結され、前記連結ブロック３５の左端面には前記ラックスライド溝２１とスライドできるように連結されたラック板２２が設置され、前記トーションばね溝６８の前後端壁にはトーションばね軸６７が回転できるように連結され、前記トーションばね軸６７にはトーションばね６６が設置され、前記トーションばね６６にはトーションばね板６５が設置され、前記連結ブロックスライド溝２３の底壁にはギヤ溝３９が設置され、前記ギヤ溝３９の前後端壁には連動軸３２が回転できるように連結され、前記連動軸３２が前記連動ギヤ３４と固定的に連結され、前記連動ギヤ３４が前記ラック板２２の下端面と噛み合っており、前記引きブロック７２を持ち上げることによって前記固定金属棒７７が前記下引っ掛かり溝７６から離脱し、その後、前記連結ブロック３５を通して前記ラック板２２を左方へ推し動かし、それによって前記引きブロック７２が前記上引っ掛かり溝３３の中に引っ掛かり、その作用は前記作動チャンバ４０を開けるのである。
【００１９】
前記固定装置１０３は洗浄板２５を含み、前記洗浄板２５が前記Ｌ型板６１の右端面と固定的に連結され、前記洗浄板２５の上端面には固定ラック３１が設置され、前記固定ラック３１が前記連動ギヤ３４と噛み合っており、前記洗浄板２５の下端面には回転軸２８が回転できるように連結され、前記回転軸２８の下端面には水噴射大ギヤ２９が設置され、前記水噴射大ギヤ２９の下端面には噴射ヘッド３０が設置され、前記噴射ヘッド３０と、前記水噴射大ギヤ２９と、前記回転軸２８と前記洗浄板２５との間には前記上方水管２６と連通することができる噴射ヘッド水管２７が設置され、前記Ｌ型板６１の中には前記排出水槽９２と連通している作動水槽５０が設置され、前記Ｌ型板６１の左端面には切換溝６４が設置され、前記切換溝６４と前記連通溝６３とが連通しており、前記モーターギヤ６２が前記水噴射大ギヤ２９と噛み合っており、前記Ｌ型板６１の下端には四つの固定機構が設置され、一番左側の固定機構を例として説明し、前記Ｌ型板６１の上端面には固定スライド溝８３が設置され、前記固定スライド溝８３の下端壁には六つの台形ブロック引っ掛かり溝８５が設置され、前記固定スライド溝８３には固定ロッド９０が左右対称的にスライドできるように連結され、前記固定ロッド９０と前記固定スライド溝８３との間には固定ばね８４がそれぞれ連結され、前記固定ロッド９０の中には台形ブロックスライド溝８８が設置され、前記台形ブロックスライド溝８８の上端壁には引きロッドスライド溝８９が設置され、前記台形ブロックスライド溝８８の中には台形ブロック８６がスライドできるように連結され、前記台形ブロック８６と前記台形ブロックスライド溝８８との間には台形ブロックばね８７が連結され、前記引きロッドスライド溝８９の中にはハンドル回しロッド８２がスライドできるように連結され、前記ハンドル回しロッド８２が前記台形ブロック８６の上端面と固定的に連結され、前記ハンドル回しロッド８２の上端にはハンドル回しブロック８１が設置され、前記モーターギヤ６２が前記回転軸２８を回転連動させ、その作用は食器を固定するのである。
【００２０】
前記砕き装置１０４は前記砕き軸５３を含み、前記砕き軸５３が前記砕きチャンバ９３の上下端壁と回転できるように連結され、前記砕き軸５３の上端には砕きプーリ５１が設置され、前記砕きプーリ５１と前記モータープーリ５９との間にはベルト５５が連結され、前記砕き軸５３の下端が前記砕き器５２と固定的に連結され、前記モータープーリ５９が前記ベルト５５によって前記砕きプーリ５１と、前記砕き軸５３と、前記砕き器５２とを回転連動させ、生ゴミを粉々に砕き、その作用は機器と下水道とが詰まることの発生は容易ではないのである。
【００２１】
前記洗浄装置１０５は栓４５を含み、前記栓４５が前記栓溝４６とスライドできるように連結され、前記栓４５の右端にはプルリング４４が設置され、前記栓４５の中には洗浄剤溝４７が設置され、前記洗浄剤溝４７の左端壁にはフィルター４８が設置され、前記揚水ポンプ４３がと前記水タンク４２の下端壁とが固定的に連結され、前記プルリング４４がによって前記栓４５を開け、洗浄剤を前記洗浄剤溝４７の中に入れ、その作用は食器をきれいに洗い流すのである。
【００２２】
使用の時、最初にプルリング４４によって栓４５を右方へ開け、洗浄剤を全錠洗浄剤溝４７の中に入れ、そして、栓４５を復帰させて注水口４１によって水タンク４２の中に水を注ぎ、その後引きブロック７２を上方へ持ち上げ、それによって固定金属棒７７が下引っ掛かり溝７６から離脱し、その後、連結ブロック３５を通してラック板２２を左方へ推し動かし、それによって引きブロック７２が上引っ掛かり溝３３の中に引っ掛かり、ラック板２２が左方へ移動し、それによって連動軸３２と連動ギヤ３４とを回転連動させ、それによって固定ラック３１と、洗浄板２５とＬ型板６１とが右方へ移動し、そして手でハンドル回しブロック８１を移し、それによって固定ロッド９０が右方へ移動し、食器を固定ロッド９０の間に挿入して固定金属棒７７を右方へ抜き、引きブロック７２を上引っ掛かり溝３３から引き出し、その後、連結ブロック３５とラック板２２とを右方へ引き動かし、それによって洗浄板２５とＬ型板６１とが復帰し、噴射ヘッド水管２７を上方水管２６と位置合わせて、引きブロック７２を上方へ持ち上げて、固定金属棒７７を再び下引っ掛かり溝７６の中に引っ掛からせ、その後、モーター５７と揚水ポンプ４３とを開け、それによってモーター５７がモーター軸６０と、モータープーリ５９とモーターギヤ６２と水噴射大ギヤ２９と回転軸２８とを回転連動させ、モータープーリ５９が砕き軸５３と、砕き器５２と砕きプーリ５１とを回転連動させ、揚水ポンプ４３が水タンク４２の中の水を回転しているする噴射ヘッド水管２７の中へ吸って入らせ、食器に水を噴射して洗浄を行い、ゴミと汚れた水とが回転しているする砕き器５２によって洗浄機１００の中から流し出し、洗浄し終わった後、Ｌ型板６１を引き出し、手でハンドル回しブロック８１を上方へ上げ、子供用食器を取り出す。
【００２３】
本発明の有益な効果は：本装置は自動的に子供用食器を洗浄できし、本装置の連続性の洗浄によって、洗浄の効率ときれいさを保証でき、手で洗浄すると長い時間の作業状態で疲れるために洗浄がきれいではないという問題を解決し、また本装置は破砕機能があり、機器作動の安定性を保証できると同時に、下水道が詰まる問題の発生を回避できる。
【００２４】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020175156.tif 000003
【図２】
2020175156.tif 000004
【図３】
2020175156.tif 000005